(57)【要約】【課題】  ＩＣカードにおいて、カード素材としてプラスチック、フイルム、などが利用されていたが、一度のみでのＩＣカードは製造コストの問題により実施なされていなかった。【解決手段】  印刷用紙にニス剤を加工活用したことを特徴とするＩＣカードを提供する。【選択図】      図１
2005235147.tif 000002
【特許請求の範囲】
【請求項１】
折り込み部を介してＩＣ配置片と折り返し片を構成する印刷用台紙本体に、該ＩＣ配置片に配置する下部にニス層を設け該ＩＣを印刷台紙に設けた状態でＩＣの上方に覆うように設けられた耐熱、耐向、耐摩擦性を有するニス剤、前記下部ニス層、ＩＣ、上方ニス層と構成されＩＣごと配置片に圧着する圧着剤とよりなり、前記折り返し片を圧着剤にて覆うように折り返した状態で接着したことを特徴とするＩＣカード。
【請求項２】
折り込み部を介してＩＣ配置片と折り返し片を構成する印刷用台紙本体に、該ＩＣ配置片に配置、下部にニス層を設け印刷によって設けられたＩＣと、該ＩＣを印刷台紙に設けた状態でＩＣの上方に覆うように設けられた耐熱、耐向、耐摩擦性を有するニス剤、前記下部ニス層、印刷ＩＣ、上方ニス層と構成されＩＣごと配置片に圧着する圧着剤とよりなり、前記折り返し片を圧着剤にて覆うように折り返した状態で接着したことを特徴とする請求項１記載のＩＣカード。
【請求項３】
ＩＣ配置片と該ＩＣ配置片に折り込み部を介して延設された二つの折り返し片を構成する印刷用台紙本体と、該ＩＣ配置片の表裏面にそれぞれ配置に下部ニス剤層を設け、該ＩＣあるいは印刷によって設けられたＩＣと、各ＩＣを印刷台紙に設けられた下部ニス剤層に、それぞれのＩＣを覆うように設けられた耐熱、耐向、耐摩擦性を有するニス剤よりなるニス層と、それぞれのニス層を覆いＩＣごと前記ＩＣ配置片に圧着する圧着剤とよりなり、前記それぞれの折り返し片をそれぞれの圧着剤を覆うように折り返した状態で接着したことを特徴とするＩＣカード。
【発明の詳細な説明】
【技術の分野】
【０００１】本発明は、ＩＣカードに関するものである。
【背景技術】
【０００２】従来のＩＣカードにおいては、カード素材としてプラスチック、フイルム、などが使用されていた。
伝導性やＩＣの保護を目的として、カード素材にプラスチック、フイルム、が使用され、製造原価に問題が生じ実施に至らなかった。
また、ＩＣをハガキに内包しての出願がなされていたが、本発明の目的はカード素材にプラスチック、フイルムの代用として、印刷用台紙本体に耐熱、耐向、耐摩擦性を有するニス剤加工を施し、前記ニス剤の上方にＩＣを配置し、その上方に覆うようにニス剤を設けたＩＣカードである。
【特許文献１】特許公開番号特開２００３−１４１４９２
【発明の開示】
【発明が解決しようとする課題】
【０００３】  これには次のような欠点があった。
（イ）従来、ＩＣカードにおいては、カード素材としてプラスチック、フイルム、などが使用されていた。
（ロ）伝導性やＩＣの保護を目的として、カード素材にプラスチック、フイルム、が使用され、製造原価に問題が生じ実施に至らなかった。
（ハ）ＩＣをハガキに内包しての発明がなされていたが、ＩＣを保護する作用効果は
本発明は、これらの問題点を解決するためになされたものである。
【課題を解決するための手段】折り込み線（１０１）を介してＩＣ配置片と折り返し片を構成する印刷用紙（１０）本体に、該ＩＣ（３０）配置片に配置、下部にニス剤（２０Ａ）層を設け印刷によって設けられたＩＣ（３０）と、該ＩＣを印刷用紙（１０）に設けた状態でＩＣ（３０）の上方に覆うように設けられた耐熱、耐向、耐摩擦性を有するニス剤上方（２０Ｂ）層、下部にニス剤（２０Ａ）層、ＩＣ（３０）、ニス剤上方（２０Ｂ）層と構成されＩＣごと配置片に圧着する圧着剤（４０）とよりなり、前記折り返し片を圧着剤（４０）にて覆うように折り返した状態で接着したことを特徴とするＩＣカードを提供する。
【発明の効果】
【０００４】
【０００５】従来、ＩＣカードにおいては、カード素材としてプラスチック、フイルム、などが使用されていたが、これは、伝導性やＩＣの保護を目的として、ＩＣカードの製造原価が高価であった。
再利用を目的とする、ＩＣカードにおいてカード素材としてプラスチック及びフイルムにおいてはコストの削減は可能であったが、一度のみでのＩＣカードは製造コストの問題により実施なされていなかった。
本発明は印刷用紙（１０）に折り込み線（１０１）を介してＩＣ配置片と折り返し片を構成し、本体に、該ＩＣ（３０）配置片に配置、下部にニス剤（２０Ａ）層を設け印刷によって設けられたＩＣ（３０）と、該ＩＣを印刷用紙（１０）に設けた状態でＩＣ（３０）の上方に覆うように設けられた耐熱、耐向、耐摩擦性を有するニス上方（２０Ｂ）層、下部にニス剤（２０Ａ）層、ＩＣ（３０）、ニス剤上方（２０Ｂ）層と構成されＩＣごと配置片に圧着する圧着剤（４０）とよりなり、前記折り返し片を圧着剤（４０）にて覆うように折り返した状態で接着したことを特徴とするＩＣカードを提供することで、前記の問題の解決に至った。
本発明により、従来ＩＣカードの利用としてチケット、入場券、商品への搬入等に利用できる効果をもたらす。
【発明を実施するための最良の形態】
【０００６】  以下、本発明の実施の形態について図１から図５をもちいて説明する。
図１に記載されているのは、本発明の形態の構成で、印刷用紙（１０）に折り線（１０１）を設け、ＩＣ（３０）を配置する位置に、ニス剤（２０Ａ）を設け、ニス剤（２０Ａ）、ＩＣ（３０）を挟んでニス剤（２０Ｂ）の順に加工する。
さらに、その上方から圧着剤（４０）を施し折り線（１０１）を返してＩＣカードが構成される構成を示したものである。
図２は図１の構成の形態から、圧着前の形態を示したものである。
図３は図２からの圧着後、印刷用紙（１０）、ニス剤（２０Ａ）、ＩＣ（３０）を挟んでニス剤（２０Ｂ）の順からの形態の断面図である。
図４は実施の応用例で、印刷用紙（１０）の表面と裏面を活用するもので、これは異なった情報を有するＩＣを活用するときに用いられるものである。
印刷用紙（１０）の表面、中央に折り線（１０１）、折り線（１０２）を設け、ＩＣ（３０）を配置する印刷用紙（１０）中央にニス剤（２０Ａ）、ＩＣ（３０）を挟んでニス剤（２０Ｂ）の順から構成される。
同様、印刷用紙（１０）の裏面、中央にニス剤（２０Ａ）、ＩＣ（３０）を挟んでニス剤（２０Ｂ）の順から構成を示したものである。
図５は図４の構成から、ＩＣ（３０）を挟んだ中央からジグザグに折り込む形態を示したものである。
図６は図５の構成から、中央からジグザグに折り込まれた状態からの断面図を示したものである。
本発明に使用されるニス剤は、和ニスベースにポリエステル系溶剤と硫酸バリュームを複合したもので、ニス剤は耐熱、耐向、耐摩擦性の効果をもち、強度と耐久性をもつものである。
このニス剤を用いて本発明の実施の実験をおこなった結果良好な結果が得られた。
次ページに試験報告１及び試験報告２を記載する。
試験結果、実例１
作成条件
・ニス剤（熟可塑性タイプ）
・用紙    ３点
Ａ：伸縮、耐水加工紙
Ｂ：伸縮加工紙
Ｃ：絶縁紙
・印刷条件
・ＳＳ版：テトロン４００メッシュ
・乾燥：１０００ｃ３０分
【試験条件】
・耐折り曲げ性試験：
印刷体を印刷面内側にして１８０°折り曲げた後、今度は印刷面を外側にして１８０°折り返した時の、印刷物のはがれ、割れ具合を目視評価。
５（優）−一１（劣）
・テープ接着性試験：
ニチバン製セロテープ（幅１２ｍｍ）による塗膜密着性評価。５（優）−一１（劣）
【結果】
評価結果について以下の表に示す（ＰＥＴ：参考データ）。
2005235147.tif 000003
折り曲げやテープ試験で塗膜が破壊されることはなく、印刷原反に対する密着性は良好であった。
また、体積抵抗値は折り曲げた後は若干増加するものの、そのオーダーは変わらず、１日後の値も同様であった。
試験結果、実例２
作成条件
・ニス剤（熱可塑性タイプ）
・用紙    ３点
2005235147.tif 000004
▲５▼９５．５ｇ／ｍ２、１１７〃ｍ、平滑度５０ｓｅｃ
▲６▼１００．５ｇ／ｍ２、１３７〃ｍ、平滑度４０ｓｅｃ
・印刷条件
・ＳＳ版：テトロン４００メッシュ
・乾燥：１０００ｃ３０分
【試験条件】
・耐折り曲げ性試験：
印刷体を印刷面に内側にして１８０°  折り曲げた後、今度は印刷面を外側にして１８０°折り返した時の、印刷物のはがれ、割れ具合を目視評価。
５（優）−一１（劣）
・テープ接着性試験：
ニチバン製セロテープ（帽１２ｍｍ）による塗膜密着性評価。５（優）−一１（劣）
【結果】
評価結果について以下の表に示す（ＰＥＴ：参考データ）。
2005235147.tif 000005
折り曲げやテープ試験で塗膜が破壊されることはなく、印刷原反に対する密着性は良好であった。
また、体積抵抗値は折り曲げた後は若干増加するものの、大きく変化することはなく、
１日後の値も同様であった。
以上、前頁記載が試験結果で、実例１の試験は異なる性質の用紙、伸縮、耐水性伸縮加工紙及び絶縁紙で試験を行ない、試験２は平滑度の異なる用紙でニス剤の加工後耐折り曲げ試験、テープ接着性試験をおこなった。
試験結果から、ニス剤の用紙加工後は耐向、耐熱、耐摩擦と強度性に優れ本発明の実施がなされるものである。
以上が本発明の構成及び実施における試験結果であり、下記にその実施を記す。
本発明の実施
従来、ＩＣカードにおいては、カード素材としてプラスチック、フイルム、などが使用されていたが、これは、伝導性やＩＣの保護を目的として、ＩＣカードの製造原価が高価で、ＩＣカードにおいてカード素材としてプラスチック及びフイルムにおいてはコストの削減は可能であったが、一度のみでのＩＣカードは製造コストの問題により実施なされていなかった。
本発明は印刷用紙にニス剤を加工活用したことを特徴とするＩＣカードを提供することで、前記の問題の解決に至った。
従来のカード素材としてプラスチックを利用したＩＣカードと比較しコストの削減を可能とすることでチケット、入場券、商品への搬入利用、認識カード等に実施される。
以上、本発明は実施される。
【産業上の利用可能性】
【０００７】本発明は印刷用紙にニス剤を加工活用したことを特徴とするＩＣカードを提供することで、従来のカード素材としてプラスチックを利用したＩＣカードと比較しコストの削減を可能とすることでチケット、入場券、商品への搬入利用、認識カード等に実施されるＩＣカードが提供される。
本発明は、以上の構成より産業上利用されるものである。
【図面の簡単な説明】
【０００８】
【図１】本発明における構成図である。
【図２】本発明の実施における構成図である。
【図３】本発明の実施における構成の断面図である。
【図４】本発明の実施における応用構成の図である。
【図５】本発明の実施における応用構成の断面図である。
【図６】本発明の実施における応用構成の断面図である。
【符号の説明】
【０００９】１０．用紙
１０１．折り線
２０Ａ．ニス剤
２０Ｂ．ニス剤
３０．ＩＣ
４０．圧着剤
１０２．折り線
【図１】
2005235147.tif 000006
【図２】
2005235147.tif 000007
【図３】
2005235147.tif 000008
【図４】
2005235147.tif 000009
【図５】
2005235147.tif 000010
【図６】
2005235147.tif 000011